(57)【要約】【課題】  屋根構造体又は側壁構造体の下地材に対して屋根部材又は側壁部材を、簡単かつ容易に取付けることができ、その作業性の合理化を図る。【解決手段】  屋根部材Ｙ又は側壁部材Ｙ１等の取付け装置であって、屋根構造体の下地材Ｗ又は側壁構造体の下地材Ｗに固止される固定桟木部材１の本体部２と、本体部２の上部位に形成されて屋根部材Ｙの裏面に形成された係合部１０又は側壁部材Ｙ１の裏面に形成された係合部１０が係脱可能に係合する被係合部３と、当該固定桟木部材１に係止される屋根部材Ｙ又は側壁部材Ｙ１の下位に位置される屋根部材Ｙ又は側壁部材Ｙ１を係合部１０と被係合部３との係合方向に弾力的に付勢する弾力付勢手段７と、を備えたものである。【選択図】  図２
2006328785.tif 000002
【特許請求の範囲】
【請求項１】
屋根部材又は側壁部材等の取付け装置であって、屋根構造体の下地材又は側壁構造体の下地材に固止される固定桟木部材の本体部と、該本体部の上部位に形成されて屋根部材の裏面に形成された係合部又は側壁部材の裏面に形成された係合部が係脱可能に係合する被係合部と、当該固定桟木部材に係止される屋根部材又は側壁部材の下位に位置される屋根部材又は側壁部材を、係合部と被係合部との係合方向に弾力的に付勢する弾力付勢手段と、を備えてなる屋根部材又は側壁部材等の取付け装置。
【請求項２】
請求項１記載の屋根部材又は側壁部材等の取付け装置であって、固定桟木部材の本体部には、当該固定桟木部材に係止される屋根部材又は側壁部材の下位に位置される屋根部材又は側壁部材の端部を挟持する挟持片部を設けたことを特徴とする屋根部材又は側壁部材等の取付け装置。
【発明の詳細な説明】
【技術分野】
【０００１】
本発明は、家屋等において、屋根構造体上に敷設される瓦及び太陽光発電パネル等の屋根部材や外壁として使用される外壁用パネル等の側壁部材等の取付け装置に関するものである。
【背景技術】
【０００２】
さて、この種の家屋等の屋根構造体上に敷設される瓦及び太陽光発電パネル等の屋根部材にあって、一般に、瓦の場合には、各瓦を下地材に固定された桟木に対し、引掛けて該瓦の一部を釘着等して順次桟木に固止する手段（非特許文献１参照。）が採用されおり、また、太陽光発電パネル等の場合には、下地材に平面的に枠組み固定された枠体に対して平面的に配設して固定金具及びボルト、ナット等を介して締付け固止する手段（特許文献１参照。）が採用されていた。
また、外壁として使用される外壁用パネル等の側壁部材にあっては、一般に、側壁構造体の下地材に対し、側壁部材を横方向に沿って配設された桟木に引掛けてその一部を釘着等して順次桟木に固止する手段が採用されていた。
【特許文献１】特開平９−３１０４５８号公報
【非特許文献１】理工学社発行「日本の瓦屋根」
【発明の開示】
【発明が解決しようとする課題】
【０００３】
しかしながら、上記した従来の屋根部材の取付け構造又は側壁部材の取付け構造にあっては、屋根部材又は側壁部材を釘等での打ちつけ或いは固定金具及びボルト等を介して締付け固止するものであるため、その施工に際しては、いちいち釘や固定金具及びボルト等を用意してその固止作業をしなくてはならず、その作業性の悪化を招来するとともに、屋根部材又は側壁部材等の修繕等、その施工後のメンテナンス等にあっては相当の手間がかかり、その作業性の悪化は免れるものではなかった。
そこで、本発明は、屋根構造体又は側壁構造体の下地材に対して屋根部材又は側壁部材を釘、ボルト、ナットを用いることなく、簡単かつ容易に取付けることができ、その作業性の合理化を図ることができる屋根部材又は側壁部材等の取付け装置を提供することを課題とする。
【課題を解決するための手段】
【０００４】
上記した目的を達成するために、請求項１に記載された発明は、屋根部材又は側壁部材等の取付け装置であって、屋根構造体の下地材又は側壁構造体の下地材に固止される固定桟木部材の本体部と、該本体部の上部位に形成されて屋根部材の裏面に形成された係合部又は側壁部材の裏面に形成された係合部が係脱可能に係合する被係合部と、当該固定桟木部材に係止される屋根部材又は側壁部材の下位に位置される屋根部材又は側壁部材を、係合部と被係合部との係合方向に弾力的に付勢する弾力付勢手段とを備えたことを要旨とするものである。
この構成によれば、屋根構造体又は側壁構造体の下地材に屋根部材又は側壁部材を取付けるの際して、屋根構造体又は側壁構造体の下地材に対し、屋根の桁行き方向に沿いかつ屋根の流れ方向に対して少なくとも屋根部材の敷設間隔に相当する間隔をおいて、又は、壁面の横方向に沿いかつ壁面の縦方向に対して少なくとも側壁部材の敷設間隔に相当する間隔をおいて固定桟木部材を固止し、該固定桟木部材の上位に位置される固定桟木部材との間において、当該固定桟木部材上に位置される屋根部材又は側壁部材の係合部を該固定桟木部材の被係合部の係合し、該屋根部材又は側壁部材を上位に位置される固定桟木部材側からその係合部と被係合部との係合方向に弾力的に付勢して該屋根部材又は側壁部材を固定桟木部材に固止することができる。
【０００５】
請求項２に記載した発明は、請求項１記載の屋根部材又は側壁部材等の取付け装置であって、固定桟木部材の本体部には、当該固定桟木部材に係止される屋根部材又は側壁部材の下位に位置される屋根部材又は側壁部材の端部を挟持する挟持片部を設けたことを要旨とするものである。
この構成によれば、固定桟木部材の本体部に設けた挟持片によって、屋根部材又は側壁部材の端部を挟持することができる。
【発明の効果】
【０００６】
請求項１に記載の発明によれば、屋根構造体又は側壁構造体の下地材に屋根部材又は側壁部材を取付けるの際して、その取付け時にあっては、屋根部材又は側壁部材の係合部と固定桟木部材の被係合部との係合によって簡単かつ容易に固定桟木部材に対する固止ができ、その固止状態にあっては、前記係合部と被係合部との係合及び前記屋根部材又は側壁部材を上位に位置される固定桟木部材側からその係合部と被係合部との係合方向に弾力的に付勢して確実かつ強固な固止状態を得ることができ、補修等の作業時にあっては、取付け時と逆の作業によって固定桟木部材からの固止状態の解離を簡単かつ容易にでき、その作業性の合理化並びに良化向上を図ることができる。
【０００７】
請求項２に記載の発明によれば、屋根部材又は側壁部材の端部を挟持することができ、屋根部材又は側壁部材の固止状態を一層確実かつ強固なになし得る。
【発明を実施するための最良の形態】
【０００８】
以下、本発明を実施するための最良の形態を実施例にしたがって説明する。
【実施例】
【０００９】
以下、本発明を具体化した実施の形態を図にしたがって詳述する。
本実施例における固定桟木部材１は、図１及び図２に示すように、例えば、軽量金属（合金）材料等から形成されるとともに、断面ほぼ上面を開口した箱状の比較的長尺状に形成された本体部２を主体として構成されており、その一方側の立ち上げ片２ａの上端には被係合部３が長手方向に沿って所定の長さほぼ水平状（直角状）に一体的に突設され、他方側の立ち上げ片２ｂの下部位には延出部４ａが前記被係合部３とは反対方向に長手方向に沿って所定の長さ突出され、両立ち上げ片２ａ、２ｂの間の固定片部４には後述する屋根構造体又は側壁構造体の下地材Ｗに固定するためのネジ５が挿通される取付け孔が所定の間隔で形成されている。なお、固定桟木部材１は、既存の桟木の長さに相当する長さとすることが望ましい。
【００１０】
また、前記本体部２の他方側の立ち上げ片２ｂの上端には、挟持片部６が前記被係合部３の突設方向とは逆方向にその長手方向に沿って所定の長さほぼ水平状（直角状）に一体的に突設されており、この挟持片部６と前記延出部４ａとで形成される断面ほぼコ字状の空間部Ｓ内には後述する屋根部材Ｙ又は側壁部材Ｙ１の一方端面側を嵌合して挟持状態にするように構成されている。
【００１１】
そして、固定桟木部材１における他方側の立ち上げ片２ｂ側の前記空間部Ｓにはその長さ方向に沿って所定の間隔をおいて圧縮ばね等からなる複数個の弾力付与手段７〜７がその立ち上げ片２ｂから該空間部Ｓの開放側に向けて突出状に装設されており、その弾力付与手段７〜７の突出された先端部には所定の個数（図では２個ずつ）の弾力付与手段７、７を連結する平板状の当て部材８が前記空間部Ｓ内に臨んで装設されている。
【００１２】
なお、固定桟木部材１の固定片部４の底面から本体部２の底面側にはその短手方向に水抜き溝９が所定の間隔で複数個形成されている。
【００１３】
次に、上述のように構成された固定桟木部材１により、屋根構造体上に屋根部材Ｙを敷設（固止）する場合、すなわち、屋根部材Ｙが瓦である場合について説明する。
【００１４】
まず、屋根部材Ｙとしての瓦にはその裏面のほぼ先端部側には前記固定桟木部材１の被係合部３に係脱可能に対向するほぼＬ状の係合部１０が予め突出形成されている。
そこで、図３に示すように、各固定桟木部材１を、屋根構造体の下地材Ｗに対し、屋根の桁行き方向に沿いかつ屋根の流れ方向に対して少なくとも屋根部材の敷設間隔に相当する間隔をおいてその固定片部４（延出片部４ａ）を当接させて釘、ネジ５等の手段により固止する。この場合、本体部２を断面ほぼ上面を開口した箱状に形成してその開口（開放）側から釘、ネジ５等による固止作業を行うので、その作業が容易となる。
【００１５】
この状態にあっては、被係合部３が上方に向き、弾力付与手段７が下方に向くように固止するものである。
【００１６】
そして、当該固定桟木部材１と、該固定桟木部材１の上位に位置される固定桟木部材１との間において、当該固定桟木部材１上に位置される屋根部材Ｙとしての瓦の上端部（尻部）を上位に位置される固定桟木部材１側の弾力付与手段７に当て部材８を介して押し付けて、係合部１０を当該固定桟木部材１の被係合部３に係合可能位置まで弾力に抗して移動させた後に、係合部１０を被係合部３に係合させる。（図３の中央部の屋根部材Y参照）
【００１７】
これによって、屋根部材Ｙとしての瓦を当該固定桟木部材１に固止するものであり、その固止状態にあっては、該屋根部材Ｙとしての瓦を上位に位置される固定桟木部材１側からその係合部１０と被係合部３との係合方向に当て部材８を介して弾力付与手段７によって、常に弾力的に付勢されているので、確実かつ強固な固止状態を得るものである。
【００１８】
上記した状態において、弾力付与手段７を押し付ける屋根部材Ｙの上端部（尻部）は、固定桟木部材１における挟持片部６と延出部４ａとで形成される空間部Ｓ内に嵌合位置されて、該挟持片部６と延出部４ａとで挟持状態に保持されるものである。
【００１９】
上記のようにして、当該固定桟木部材１と該固定桟木部材１の上位に位置される固定桟木部材１との間において、各屋根部材Ｙとしての瓦を屋根の桁行方向に順次重合して固止し、その後、流れ方向の上段を同様にして下位の屋根部材Ｙとしての瓦に対し重合した状態で固止して屋根構造体上に屋根部材Ｙを敷設（固止）するものである。
【００２０】
なお、施工後において、屋根部材Ｙとしての瓦を補修等する作業時にあっては、屋根部材Ｙとしての瓦を前述のように弾力付与手段７に押し付けてその弾力に抗して移動しながらその係合部１０を当該固定桟木部材１の被係合部３から解離することの作業によって、当該固定桟木部材１からの固止状態の解離を簡単かつ容易になし得るものである。
【００２１】
また、屋根部材Ｙが太陽光発電パネルとした場合においても、図示しないが、上述した瓦の場合と同様に、その裏面のほぼ先端部側には固定桟木部材１の被係合部３に係脱可能に対向するほぼＬ状の係合部１０を予め突出形成し、上述した瓦の場合と同様に、それぞれ一部が重合した状態で固定桟木部材１に固止することができる。
【００２２】
ついで、上述のように構成された固定桟木部材１により、側壁構造体上に側壁部材Ｙ１を敷設（固止）する場合について説明する。
【００２３】
前述の、屋根部材Ｙと同様に、側壁部材Ｙ１にはその裏面のほぼ先端部側には前記固定桟木部材１の被係合部３に係脱可能に対向するほぼＬ状の係合部１０が予め突出形成されている。
そこで、図４に示すように、各固定桟木部材１を、側壁構造体の下地材Ｗに対し、壁面の横方向に沿いかつ壁面の縦方向に対して少なくとも側壁部材Ｙ１の敷設間隔に相当する間隔をおいてその固定片部４（延出片部４ａ）を当接させて釘、ネジ５等の手段により固止する。
【００２４】
この状態にあっては、被係合部３が上方に向き、弾力付与手段７が下方に向くように固止するものである。
【００２５】
そして、当該固定桟木部材１と該固定桟木部材１の上位に位置される固定桟木部材１との間において、当該固定桟木部材１上に位置される側壁部材Ｙ１の上端部を上位に位置される固定桟木部材１側の弾力付与手段７に当て部材８を介して押し付けて、係合部１０を当該固定桟木部材１の被係合部３に係合可能位置まで弾力に抗して移動させた後に、係合部１０を被係合部３に係合させる。
【００２６】
これによって、側壁部材Ｙ１を当該固定桟木部材１に固止するものであり、その固止状態にあっては、該側壁部材Ｙ１を上位に位置される固定桟木部材１側からその係合部１０と被係合部３との係合方向に当て部材８を介して弾力付与手段７によって、常に弾力的に付勢されているので、確実かつ強固な固止状態を得るものである。
【００２７】
上記した状態において、弾力付与手段７を押し付ける側壁部材Ｙ１の上端部は、固定桟木部材１における挟持片部６と延出部４ａとで形成される空間部Ｓ内に嵌合位置されて、該挟持片部６と延出部４ａとで挟持状態に保持されるものである。
【００２８】
上記のようにして、当該固定桟木部材１と該固定桟木部材１の上位に位置される固定桟木部材１との間において、各側壁部材Ｙ１を壁面の横方向並びに縦方向に順次重合して固止して壁面構造体上に側壁部材Ｙ１を敷設（固止）するものである。
【００２９】
なお、施工後において、側壁部材Ｙ１としての瓦を補修等する作業時にあっては、側壁部材Ｙ１を前述のように弾力付与手段５に押し付けてその弾力に抗して移動しながらその係合部７を当該固定桟木部材１の被係合部３から解離することの作業によって、当該固定桟木部材１からの固止状態の解離を簡単かつ容易になし得るものである。
【００３０】
なお、複数個の弾力付与手段７を圧縮ばね等から構成したが、これに代え、例えば、板ばね、ゴム等から構成してもよく、また、弾力付与手段７を固定桟木部材１側に設けたが、これに代えて、屋根部材Ｙ又は側壁部材Ｙ１の一方端面側に設けてもよく、この場合は、弾力付与手段７を板ばねから構成することが好ましい。
【００３１】
また、固定桟木部材１自体の形状も図示のものに限定するものではなく、種々の形状に変更が可能である。
【図面の簡単な説明】
【００３２】
【図１】本発明の実施の形態を示す固定桟木部材の一部破断平面図である。
【図２】図１のＡ−Ａ線断面図である。
【図３】固定桟木部材と屋根部材との固止状態を示す側断面図である。
【図４】固定桟木部材と側壁部材との固止状態を示す側断面図である。
【符号の説明】
【００３３】
１  固定桟木部材
２  本体部
３  被係合部
７  弾力付与手段
１０  係合部
Ｙ  屋根部材
Ｙ１  側壁部材
Ｗ    下地材                                                                               
【図１】
2006328785.tif 000003
【図２】
2006328785.tif 000004
【図３】
2006328785.tif 000005
【図４】
2006328785.tif 000006